【事件の表示】
　特願２０１２−２５８４０９「情報処理装置、情報処理方法、および記録媒体」拒絶査定不服審判事件〔平成２５年　７月１８日出願公開、特開２０１３−１４０５６８、請求項の数（２０）〕について、次のとおり審決する。
【結　論】
　原査定を取り消す。
　本願の発明は、特許すべきものとする。
【理　由】
第１　手続きの経緯
　本願は、平成２４年１１月２７日（優先権主張平成２３年１２月９日）の出願であって、平成２８年３月１７日付けで拒絶理由が通知され、平成２８年４月１８日付けで手続補正され、平成２８年７月２７日付けで拒絶査定（原査定）がされ、これに対し、平成２８年１０月６日付けで拒絶査定不服審判の請求がされ、同時に手続補正され、平成２９年６月１２日付けで拒絶理由通知（以下、「当審拒絶理由通知」という。）がされ、平成２９年６月２３日付けで手続補正されたものである。
第２　原査定の概要
　原査定（平成２８年７月２７日付け拒絶査定）の概要は次のとおりである。
　本願請求項１−２０に係る発明は、以下の引用文献１―４に基づいて、その発明の属する技術の分野における通常の知識を有する者（以下、「当業者」という。）が容易に発明できたものであるから、特許法第２９条第２項の規定により特許を受けることができない。
引用文献等一覧
１．特開２００９−８９０６８号公報
２．特開２０１１−４４０６１号公報（周知技術を示す文献）
３．特開２００９−７５６８５号公報（周知技術を示す文献）
４．特開２０１１−１８６７３０号公報（周知技術を示す文献；新たに引用された文献）
第３　当審拒絶理由の概要
　本願請求項１−２０に係る発明は、以下の引用文献１−３に基づいて、当業者が容易に発明できたものであるから、特許法第２９条第２項の規定により特許を受けることができない。
引用文献等一覧
１．特開２０１１−１８６７３０号公報（拒絶査定時の引用文献４）
２．特開２０１１−４４０６１号公報（拒絶査定時の引用文献２）
３．特開２００９−８９０６８号公報（拒絶査定時の引用文献１）
４．特開２００９−７５６８５号公報（拒絶査定時の引用文献３）
第４　本願発明
　本願請求項１−２０に係る発明（以下、それぞれ「本願発明１」−「本願発明２０」という。）は、平成２９年６月２３日付けの手続補正で補正された特許請求の範囲の請求項１−２０に記載された事項により特定される発明であり、本願発明１−２０は以下のとおりの発明である。
【請求項１】
　ユーザにジェスチャ認識をフィードバックするための合成された画像を生成するために、撮像画像と操作対象画像との合成を制御する処理部を備え、
　前記合成された画像では、前記撮像画像の可視化の程度は変えられてみえ、
　前記処理部は、前記撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成を制御し、
　前記撮像画像の可視化の程度が変わることは、前記撮像画像を平滑化する平滑化の度合いが変化することを含む、情報処理装置。
【請求項２】
　前記合成された画像では、前記撮像画像の一部が、可視化の程度が変えられてみえる、請求項１に記載の情報処理装置。
【請求項３】
　前記撮像画像の一部は、合成された画像において操作対象オブジェクトの操作対象画像における位置に応じて決定された位置を有している、合成された画像の領域に対応する、請求項２に記載の情報処理装置。
【請求項４】
　前記撮像画像の可視化の程度は、操作対象画像に含まれている操作対象オブジェクトに基づいて変えられる、請求項１に記載の情報処理装置。
【請求項５】
　前記撮像画像の可視化の程度は、撮像画像の領域の可視化の程度の減少を含み、
　前記領域は、操作対象画像内の操作対象オブジェクトの位置に応じて決定される、請求項４に記載の情報処理装置。
【請求項６】
　前記撮像画像の可視化の程度は、前記撮像画像から認識される所定の対象に基づいて変えられる、請求項１に記載の情報処理装置。
【請求項７】
　前記撮像画像の可視化の程度は、少なくとも、撮像画像から切り出された一部のサイズによって変えられる、請求項６に記載の情報処理装置。
【請求項８】
　前記所定の対象は、少なくとも顔または手のうちの１つである、請求項６に記載の情報処理装置。
【請求項９】
　前記撮像画像の可視化の程度は、前記合成された画像において、撮像画像が等級分けされてみえるように変えられる、請求項１に記載の情報処理装置。
【請求項１０】
　前記撮像画像の可視化の程度が変わることは、前記撮像画像が透明である程度を変えることを含む、請求項１に記載の情報処理装置。
【請求項１１】
　撮像画像が透明である程度を変えることは、動的に撮像画像が透明である程度を変えることを含む、請求項１０に記載の情報処理装置。
【請求項１２】
　前記撮像画像の可視化の程度が変わることは、撮像画像を切り出すことを含む、請求項１に記載の情報処理装置。
【請求項１３】
　前記撮像画像の可視化の程度が変わることは、さらに、切り出された画像をスケーリングすることを含む、請求項１２に記載の情報処理装置。
【請求項１４】
　変えられた撮像画像と操作対象画像とを合成することは、操作対象画像の表示位置に対して変えられた撮像画像の表示位置を変えることを含む、請求項１に記載の情報処理装置。
【請求項１５】
　前記撮像画像は、複数のユーザの画像を含み、
　前記撮像画像の可視化の程度が変わることは、認識された複数のユーザごとに切り出された領域を生成するために、撮像画像を切り出すことを含む、請求項１に記載の情報処理装置。
【請求項１６】
　表示部をさらに備え、
　前記処理部は、前記合成された画像の表示を制御する、請求項１に記載の情報処理装置。
【請求項１７】
　撮像部をさらに備える、請求項１に記載の情報処理装置。
【請求項１８】
　前記操作対象画像は、Ｗｅｂページを示す画像、メニュー画面を示す画像、操作画面を示す画像のうちの１つである、請求項１に記載の情報処理装置。
【請求項１９】
　ユーザにジェスチャ認識をフィードバックするための合成された画像を生成するために、撮像画像と操作対象画像とを合成するステップを有し、
　前記合成された画像では、前記撮像画像の可視化の程度は変えられてみえ、
　前記合成するステップでは、前記撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成が制御され、
　前記撮像画像の可視化の程度が変わることは、前記撮像画像を平滑化する平滑化の度合いが変化することを含む、情報処理方法。
【請求項２０】
　コンピュータにユーザにジェスチャ認識をフィードバックするための合成された画像を生成するために、撮像画像と操作対象画像とを合成するステップを実行させ、
　前記合成された画像では、前記撮像画像の可視化の程度は変えられてみえ、
　前記合成するステップでは、前記撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成が制御され、
　前記撮像画像の可視化の程度が変わることは、前記撮像画像を平滑化する平滑化の度合いが変化することを含む、プログラムを記録したコンピュータ読み取り可能な記録媒体。　
　
第５　引用文献、引用発明等
１．引用文献１について
　平成２９年６月１２日付けの拒絶の理由に引用された引用文献１には、図面とともに次の事項が記載されている。（下線は、当審において付与した。以下、同様。）
「【０００１】
　
本発明は
実行されているアプリケーションをジェスチャに基づいて操作するようにした情報処理装置
に関する。
「【００８１】
　
図１０の例のフィードバックモードの表示例では、表示部１２上に軌跡８１、ミラー画像８２、ジェスチャコマンド一覧表８３、ジェスチャコマンド８４（具体的には８４−１乃至８４−６）、ジャケット写真８５（具体的には８５−１乃至８４−７）、歌手名８６−２、および曲名８７−２が表示されている。
【００８２】
　
フィードバックモードでは、カメラ１１により撮像されたユーザの画像に画像処理を施したミラー画像８２が背景に表示されている。
【００８３】
　
このようにミラー画像８２を表示させることで、ユーザが手でジェスチャを入力する動きと、表示部１２に表示されるユーザ７１の手７２の動きが対応するので、ユーザはジェスチャによる操作を容易に確認することができる。
【００８４】
　
なお、ミラー画像８２の代わりに、手、体、顔、動き等が検出された領域を表示したり、または、ミラー画像８２にさらに他の画像処理を施した画像を表示することもできる。
【００８５】
　
ミラー画像８２に他の画像処理を施した画像とは、例えば、モノクロームやセピアのように画像の色を変えた画像、顔や体のパーツを認識してパーツに対応するアバターに変更した画像、または鉛筆のスケッチや絵画風の画像などである。
【００８６】
　画像処理を施すことにより、顔が直接表示されることを不快に思うユーザが、快適に操作を行うことができる。
【００８７】
　ジェスチャコマンド一覧表８３には、ユーザが入力することができるジェスチャの一覧、すなわちジェスチャコマンド８４−１乃至８４−６が表示されている。
【００８８】
　ジェスチャコマンド８４−１乃至８４−６には、それぞれのジェスチャに対する簡単な入力方法、すなわち、手の動かし方および操作内容が示されている。
・・・中略・・・
【００９５】
　このようにジェスチャコマンド一覧表８３には、ジェスチャとジェスチャに対応する操作を簡単に示したジェスチャコマンド８４が表示されるので、ユーザはジェスチャの種類と対応する操作内容を容易に確認することができる。
【００９６】
　
ジャケット写真８５の画像としては、音楽プレイヤに記憶されているそれぞれの曲に対応するジャケット画像が表示される。
【００９７】
　
ジャケット写真８５−１乃至８５−７のうち、ジャケット写真８５−２が現在選択されている曲のジャケットを示している。現在選択されているジャケット写真８５−２の画像は、選択されていることがわかるように、例えば、上下に揺らされたり、選択されていないジャケットより大きくされる。
【００９８】
　歌手名８６−２としての表示「redtallon」は、現在選択されているジャケット写真８５−２の曲の歌手名である。現在選択されている曲名８７−２「青春の森」は、現在選択されているジャケット写真８５−２の曲の曲名である。
【００９９】
　
このようにフィードバックモードを表示することで、ユーザはジェスチャの入力操作の確認、ジェスチャが認識されない原因の確認、ジェスチャの種類と操作内容の確認、および音楽プレイヤなど対応するアプリケーションの動作の確認をすることができる。
　上記下線部の記載及び図によれば、引用文献１には、以下の発明（以下、「引用発明」という。）が記載されているといえる。
「フィードバックモードでは、表示部１２上に、ジェスチャコマンド一覧表８３、ジェスチャコマンド８４（具体的には８４−１乃至８４−６）、ジャケット写真８５（具体的には８５−１乃至８４−７）、歌手名８６−２、および曲名８７−２が表示され、カメラ１１により撮像されたユーザの画像に画像処理を施したミラー画像８２が背景に表示され、
　ユーザが手でジェスチャを入力する動きと、表示部１２に表示されるユーザ７１の手７２の動きが対応するので、ユーザはジェスチャによる操作を容易に確認することができ、
　ミラー画像８２の代わりに、手、体、顔、動き等が検出された領域を表示したり、または、ミラー画像８２にさらに他の画像処理を施した画像を表示することもでき、ミラー画像８２に他の画像処理を施した画像とは、例えば、モノクロームやセピアのように画像の色を変えた画像、顔や体のパーツを認識してパーツに対応するアバターに変更した画像、または鉛筆のスケッチや絵画風の画像などであり、
　ジャケット写真８５の画像としては、音楽プレイヤに記憶されているそれぞれの曲に対応するジャケット画像が表示され、現在選択されているジャケット写真８５−２の画像は、選択されていることがわかるように、例えば、上下に揺らされたり、選択されていないジャケットより大きくされ、
　フィードバックモードを表示することで、ユーザはジェスチャの入力操作の確認、ジェスチャが認識されない原因の確認、ジェスチャの種類と操作内容の確認、および音楽プレイヤなど対応するアプリケーションの動作の確認をすることができる、情報処理装置。」
２．引用文献２について
　平成２９年６月１２日付けの拒絶の理由に引用された引用文献２には、図面とともに次の記載がある。
「【００２０】
　（３）前記画像合成手段は、
　
前記撮像手段により撮影された情景画像を半透明化する半透明化手段と、
　
前記撮像手段により撮影された情景画像上に、前記画像作成手段により更新された表示画像をはめ込んだ更新画像を作成する更新画像作成手段と、
　
前記更新画像作成手段により作成された更新画像と、前記半透明化手段により半透明化した情景画像とを画像合成する
　前記合成手段により画像合成した合成画像を出力する出力手段とを備えることを特徴とする（１）に記載の画像表示装置。
【００２１】
　
（３）の画像表示装置によると、情景画像上に表示画像をはめ込んだ更新画像に半透明化した情景画像を合成する。これにより、アノテーションを行う操作者が映っている情景画像のうち、表示画像に重なっている領域だけが半透明化される。このため、更新画像を合成画像として出力する際に表示画面を遮る操作者の手や腕等の物体だけが半透明化され、表示画面の領域に重なっていない腕や手以外の操作者自身の体幹部等は半透明化されない。
３．引用文献３について
　平成２９年６月１２日付けの拒絶の理由に引用された引用文献３には、図面とともに次の記載がある。
「【００３３】
　図２及び図３は、テレビジョン受像機１の画面構成を示す説明図である。同図に示すように、本実施形態に係る画面は、通常の映像信号Ｓ２上に、第１の混合画像Ｍ１ｏを混合して生成した第２の混合画像Ｍ２ｏを表示したものである。第１の混合画像Ｍ１ｏは、ユーザーインターフェースである操作用画像Ｇｓに、ビデオカメラ２で撮影した操作者画像Ｓ１を混合して形成される。ここで、通常の映像信号Ｓ２は、例えば地上波放送や衛星放送、外部入力端子から入力されたビデオデッキやＤＶＤプレイヤー等からの映像信号であり、操作者画像は、ビデオカメラ２で撮影されたユーザ３及びその背後にある風景である。
【００３４】
　操作用画像Ｇｓは、テレビのチャンネルやページ遷移、メディア（放送方式）の切り替えを操作するための操作ボタン４０，４１が配列されている。この画面内において、操作者は、認識対象物Ｏｂｊである手を、操作ボタン４０，４１中の任意の操作ボタン（任意の放送局など）上にかざし、所定の動作（例えば、指を折り曲げたり、手を開いたり閉じたり等のサイン）をすることによって、所望する操作ボタンに対する操作を行うことができる。」
「【００８３】
（変更例）
　なお、
上述した実施形態では、表示装置に映されたグラフィックス上に展開される操作用画像を、それに重ね合わされた自分の鏡像を見ながら操作するものであるが、画像を重ね合わせるので見にくい場合がある。その場合は、検出器の画面上の領域を特定するタイミングパルス（水平垂直）で、第１の混合器１６または第２の混合器２０の混合割合を制御して見やすいようにする。例えば制御画像である操作ボタンを見やすくするためには第１の混合器１６にて、制御値α１の値を小さくするようにタイミングパルスで制御すればよい。このように混合器をきめ細かく制御することによって視聴者と、制御画像（操作ボタン）の関係を分かり易くすることができる。
４．引用文献４について
　平成２９年６月１２日付けの拒絶の理由に引用された引用文献４には、図面とともに次の記載がある。
「【００７３】
　ステップＳ１０において、合成部３９は、視聴対象の画像の表示部１３への表示を開始させる。具体的には、合成部３９は、図示せぬ外部の装置からの視聴対象の画像の取得を開始し、その視聴対象の画像の表示部１３への供給を開始する。
・・・中略・・・
【００８０】
　具体的には、合成部３９は、視聴対象の画像の表示部１３への供給を終了する。そして、合成部３９は、UI情報およびUIの画像、並びに、抽出位置情報または特徴点情報、および特徴点ポインタの画像に基づいて、視聴対象画面の画像に１つの特徴点ポインタの画像とUIの画像を合成し、その結果得られる合成画像を表示部１３に供給することを開始する。これにより、例えば、図５の特徴点ポインタ１４とUI１５が、表示部１３の視聴対象画面に表示される。
【００８１】
　ステップＳ１６において、合成部３９は、画像取得部３１から供給される撮像画像を用いた半透明の撮像画像の表示を開始させる。
【００８２】
　具体的には、合成部３９は、撮像画像に対する鏡面処理を開始し、１つの特徴点ポインタの画像とUIの画像が視聴対象画面の画像に合成された合成画像の表示部１３への供給を終了する。また、
合成部３９は、１つの特徴点ポインタの画像とUIの画像が合成された視聴対象画面上に、鏡面処理後の撮像画像が半透明で表示されるように、ステップＳ１５で開始された合成の結果得られる合成画像と、鏡面処理後の撮像画像をさらに合成し、その結果得られる合成画像を表示部１３に供給することを開始する。これにより、例えば、図５に示したように、撮像画像が、左右反転されて半透明で表示部１３の視聴対象画面に表示される。
第６　対比・判断
１．本願発明１について
（１）対比
（ア）引用発明の「カメラ１１により撮像されたユーザの画像」は、本願発明１の「撮像画像」に相当する。
（イ）引用発明の表示部１２上に、表示される「ジャケット写真８５（具体的には８５−１乃至８４−７）、歌手名８６−２、および曲名８７−２」は、本願発明１の「操作対象画像」に相当するといえる。
（ウ）引用発明の「表示部１２上に、ジェスチャコマンド一覧表８３、ジェスチャコマンド８４（具体的には８４−１乃至８４−６）、ジャケット写真８５（具体的には８５−１乃至８４−７）、歌手名８６−２、および曲名８７−２が表示され、カメラ１１により撮像されたユーザの画像に画像処理を施したミラー画像８２が背景に表示」される「フィードバックモードを表示する」構成は、本願発明１の「撮像画像と操作対象画像との合成を制御する処理」に相当するといえ、引用発明の当該「フィードバックモードを表示する」制御を司る部分は、本願発明１の「撮像画像と操作対象画像との合成を制御する処理部」に相当するといえる。
　引用発明は、「フィードバックモードを表示する」ことにより、「ユーザはジェスチャの入力操作の確認、ジェスチャが認識されない原因の確認、ジェスチャの種類と操作内容の確認、および音楽プレイヤなど対応するアプリケーションの動作の確認をすることができる」ものであるから、引用発明の「フィードバックモードを表示する」制御を司る部分は、本願発明１の「ユーザにジェスチャ認識をフィードバックするための合成された画像を生成するために、撮像画像と操作対象画像との合成を制御する処理部」に相当するといえる。
（エ）引用発明の「ミラー画像８２の代わりに、手、体、顔、動き等が検出された領域を表示」する構成のうち「手、体、顔、動き等が検出された領域」は、「カメラ１１により撮像されたユーザの画像」であって、本願発明１の「前記撮像画像から認識される所定の対象に対して設定された、前記所定の対象を含む一部の領域」に相当し、引用発明の「カメラ１１により撮像されたユーザの画像」のうち「手、体、顔、動き等が検出された領域」以外の領域は、本願発明１の「前記撮像画像における前記一部の領域を除く他の領域」に相当するといえる。
　したがって、引用発明の「ミラー画像８２の代わりに、手、体、顔、動き等が検出された領域を表示」する構成は、本願発明の「前記合成された画像では、前記撮像画像の可視化の程度は変えられてみえ、前記処理部は、前記撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成を制御し、前記撮像画像の可視化の程度が変わることは、前記撮像画像を平滑化する平滑化の度合いが変化することを含む」構成と、「前記合成された画像では、前記撮像画像の可視化の程度は変えられてみえ、前記処理部は、前記撮像画像から認識される所定の対象に対して設定された、前記所定の対象を含む一部の領域の可視化の程度と、前記撮像画像における前記一部の領域を除く他の領域の可視化の程度とが変わるように、合成を制御する」構成である点では共通するといえる。
　そうすると、本願発明１と引用発明との間には、以下の一致点と相違点があるといえる。
（一致点）
「ユーザにジェスチャ認識をフィードバックするための合成された画像を生成するために、撮像画像と操作対象画像との合成を制御する処理部を備え、
前記合成された画像では、前記撮像画像の可視化の程度は変えられてみえ、
前記処理部は、前記撮像画像から認識される所定の対象に対して設定された、前記所定の対象を含む一部の領域の可視化の程度と、前記撮像画像における前記一部の領域を除く他の領域の可視化の程度とが変わるように、合成を制御する、情報処理装置。」
（相違点１）
　処理部は、本願発明１では、「前記撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成を制御」するのに対し、引用発明では、そのように制御をすることは特定されていない点。
（相違点２）
　本願発明１では、「前記撮像画像の可視化の程度が変わることは、前記撮像画像を平滑化する平滑化の度合いが変化することを含む」のに対し、引用発明では、そのような構成は特定されていない点。
（２）相違点についての判断
　まず、相違点１について検討する。
　引用文献２には、「更新画像を合成画像として出力する際に表示画面を遮る操作者の手や腕等の物体だけが半透明化され、表示画面の領域に重なっていない腕や手以外の操作者自身の体幹部等は半透明化されない。」（【００２１】）すなわち、撮像画像の所定の対象を含む一部の領域の可視化の程度と、撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成表示することが記載されている。
　しかしながら、「カメラ１１により撮像されたユーザの画像」のうち「手、体、顔、動き等が検出された領域」のみを表示し、動き等が検出されないユーザの体幹部等の領域は表示しないようにする引用発明に、引用文献２記載の技術的事項を採用する動機付けはない。また、引用文献２に記載された技術的事項は、撮像手段により撮影された情景画像上に、画像作成手段により更新された表示画像をはめ込んだ更新画像と、撮像手段により撮影された情景画像を半透明化した情景画像とを画像合成する、すなわち２つの撮像画像を合成するものであり、撮像画像と操作対象画像との合成を制御する引用発明とは異なるから、この点においても、引用文献２に記載された技術的事項を引用発明に採用することは、当業者であっても容易に想到し得るとはいえない。
　そして、引用文献１、３、４にも、撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成を制御する構成は記載されてなく、示唆されてもおらず、本願優先日前において周知の技術であったともいえない。
　したがって、上記相違点２について判断するまでもなく、本願発明１は、当業者であっても引用発明、引用文献２−４記載の技術的事項に基づいて容易に発明をすることができたものであるとはいえない。
２．本願発明２−１８について
　本願発明２−１８も、本願発明１の「撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成を制御する」と同一の構成を備えるものであるから、本願発明１と同じ理由により、当業者であっても、引用発明及び引用文献２−４記載の技術的事項に基づいて容易に発明をすることができたものとはいえない。
３．本願発明１９、２０について
　本願発明１９、２０は、本願発明１に対応する方法、プログラムの発明であり、本願発明１の「撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成を制御する」に対応する構成を備えるものであるから、本願発明１と同様の理由により、当業者であっても、引用発明及び引用文献２〜４記載の技術的事項に基づいて容易に発明をすることができたものとはいえない。
　
第７　原査定についての判断
　原査定は、請求項１−２０について上記引用文献１−４に基づいて、当業者が容易に発明できたものであるから、特許法第２９条第２項の規定により特許を受けることができないというものである。しかしながら、平成２９年６月２３日付け手続補正により補正された請求項１、１９、２０は、それぞれ「撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成を制御する」という事項、「撮像画像から認識される所定の対象に対して設定された、前記所定の対象を含む一部の領域の可視化の程度と、前記撮像画像における前記一部の領域を除く他の領域の可視化の程度とが変わり、前記一部の領域と前記他の領域とが共に視認可能であり、かつ、前記一部の領域と前記他の領域との相対的な位置関係が変わらないように、合成を制御する」に対応する構成を有するものとなっており、上記のとおり、本願発明１−２０は、上記引用文献１―４に記載された技術的事項に基づいて、当業者であっても容易に発明をすることができたものではない。したがって、原査定を維持することはできない。
第８　むすび
　以上のとおり、原査定の理由によって、本願を拒絶することはできない。
　他に本願を拒絶すべき理由を発見しない。
　よって、結論のとおり審決する。